(57)【要約】【課題】従来技術の問題を解決する。【解決手段】本発明は、新規履物、履物様鼻緒、履物への鼻緒の係合部材、履物と鼻緒との総体、並びに履物製造及び組立方法に関する。従って、本発明の第１の対象は、少なくとも１本の鼻緒（１）と、少なくとも１枚の靴底（６）と、少なくとも1個の係合部材（２）とからなり、係合部材（２）は、少なくとも１個の基部（５）と、少なくとも１個の突起（４）とからなり、鼻緒取付部（１．１）の幽閉部（７）を形成する履物（１０）である。【選択図】図１
2014033970.tif 000002
【特許請求の範囲】
【請求項１】
少なくとも１本の鼻緒と、少なくとも１枚の靴底と、少なくとも１個の係合部材とからなり、該係合部材は、少なくとも１個の基部と、少なくとも１個の突起とからなり、鼻緒取付部の幽閉部を形成することを特徴とする、履物。
【請求項２】
前記突起は、前記係合部材の前記基部に固定される第１の部分と、第二の揺動端部とからなることを特徴とする、請求項１に記載の履物。
【請求項３】
前記鼻緒は、前記係合部材の前記突起を収容できる幾何学的形状を有し、前記鼻緒取付部が前記係合部材の前記基部及び前記突起の間に幽閉され、幽閉部を形成することを特徴とする、請求項１又は２に記載の履物。
【請求項４】
前記靴底は、前記鼻緒の取り付け用の複数の収容部を有することを特徴とする、請求項１乃至３のうちのいずれか１項に記載の履物。
【請求項５】
草履、サンダルその他類似の履物であることを特徴とする、請求項１乃至４のうちのいずれか１項に記載の履物。
【請求項６】
少なくとも１枚の靴底と、少なくとも１個の係合部材とからなり、鼻緒が係合部材に協力的に結合し、前記係合部材は、少なくとも１個の基部と、少なくとも１個の突起とからなり、鼻緒取付部の幽閉部を形成することを特徴とする、履物の鼻緒。
【請求項７】
少なくとも１本の鼻緒と、少なくとも１枚の靴底と、少なくとも１個の係合部材とからなり、該係合部材は、少なくとも１個の基部と、少なくとも１個の突起とからなり、鼻緒取付部の幽閉部を形成することを特徴とする、履物の係合部材。
【請求項８】
少なくとも１本の鼻緒と、少なくとも１枚の靴底と、少なくとも１個の係合部材とからなり、該係合部材は、少なくとも１個の基部と、少なくとも１個の突起とからなり、鼻緒取付部の幽閉部を形成する履物からなることを特徴とする、履物と鼻緒の総体。
【請求項９】
鼻緒の取付部を靴底の収容部に配置し、前記鼻緒の開口部に突起を挿入する工程からなることを特徴とする、履物の製造及び／又は組立方法。
【発明の詳細な説明】
【技術分野】
【０００１】
本発明は、履物、履物様鼻緒、履物への鼻緒の係合部材、履物及び鼻緒総体、並びに履物製造及び組立方法に関し、鼻緒が靴底に交換可能に取り付けられており、置換が容易で複数のカスタマイズされた鼻緒を使用することによってカスタマイズが可能であり、更に履物の寿命を延ばすことができる。本発明は履物産業及びデザインの分野に属する。
【背景技術】
【０００２】
履物は、足を環境から保護することを一次的な目的とする服飾品の一つである。履物の種類は非常に多く、用途と形状によって分類されている。場合によっては、保護の意味や履きやすさを増す意味で靴下を併用する。文化と時代によって、男女が使用する履物には区別がある。
【０００３】
更に、履物は社会的な地位を示すためにも使用され、その人の裕福さや政治的姿勢を表し、中には宝石をちりばめたものもある。現代社会では、最終的デザイン（意匠）はファッション産業によって決められる。
【０００４】
それと並行して、市場に提供される、それぞれのＰＴＯに応じた服のスタイルの多様化に伴い、それらのＴＰＯ、服の型、色、スタイルに合わせるために履物の種類も同じく多様化させる必要がある。
【０００５】
その結果、使用者は、それぞれのＴＰＯ／組み合わせに合わせるためにたくさんの履物を持つ必要があり、それらの履物を収納するために大きなスペースを取られ、色々な履物を買うために多額の投資をすることになり、それでも結局あまり使用しなかったり、部分的に傷んだりして履物そのものを交換しなければならないことが多い。
【０００６】
これらの問題は、鼻緒などがついたサンダルその他類似の履物において頻繁に起こり、これらの履物においては、全般的に鼻緒その他が第一に磨耗及び／又は破断する部材であり、使用者は履物そのものを置換することを余儀なくされる。
【０００７】
更に、履物において外見上最も目立つ箇所は鼻緒その他であり、これらが履物とその他の服飾品との取り合わせの決め手となる。したがって、この種の履物を数多く購入する必要は、履物の鼻緒その他の特徴と密接な関係がある。
【０００８】
上記課題を解決するためには、同じ履物で、使用者の意図に応じて色々な服装ができるばかりでなく履物の寿命を延ばすことができるよう鼻緒その他が交換でき、更にその交換が簡単かつ確実にできるような履物が必要となる。
【０００９】
特許の範囲では部分的にのみ重要な文献が幾つか見つかった。以下紹介する。
【００１０】
特許文献１は、鼻緒の端部を取り付けることのできる嵌合部を有する靴底を示し、当該端部は係合部分に移動することにより靴底に固定され、草履、サンダルその他類似の履物の鼻緒の交換が可能となる。しかし、当該嵌合部は、使用者にとって非常に面倒な構造となっており、鼻緒が履物の使用中に靴底から外れないよう、端部を理想的な位置に合わせる必要がある。更に、履物の使用中鼻緒が動き、端部が移動し、鼻緒が外れ使用者は困惑する。本発明は、皮の端部が鼻緒に結合した嵌合部材と協力して作用するように形成されている点でこの特許とは異なり、固定が容易で、履物使用中でも靴底に鼻緒をしっかり固定できるだけの確実さが付与される。
【００１１】
特許文献２は、ねじ式の部品によって固定された留め具に鼻緒の端部を取り付けることによりサンダルの鼻緒を固定する装置を示す。一見確実に見えても、特許文献２の提案する鼻緒の取り付けは、特に靴底の開口部に鼻緒の端部を通す際に、使用者にとって非常に面倒である。それに、留め具やねじ式部品の製造にはある程度の精度と、履物使用中にかかる応力に耐えるだけの強度を備えた素材を要するので、比較的コストが高くなる。本発明は、皮の端部が鼻緒に結合した嵌合部材と協力して作用するように形成されており、固定が容易で、履物使用中でも鼻緒を靴底にしっかり固定できるだけの強度が付与され、使用される部品は簡素なものであるため製造コストが低いという点でこの特許と異なる。
【００１２】
特許文献３は、鼻緒の端部を曲げ靴底の下部に嵌合させるように変更したサンダルの鼻緒を示す。鼻緒の端部には靴底の下部にある複数の突起に結合可能な孔が設けられている。特許文献３による鼻緒の取り付けは、靴底が地面にある障害物に少しでも引っかかると鼻緒が外れてしまうため、履物が直面するすべての状況において確実な係合を付与することが出来ないという不都合がある。本発明は、皮の端部が鼻緒に結合した嵌合部材と協力して作用するように形成されており、固定が容易で、履物使用中でも鼻緒を靴底にしっかり固定できるだけの強度が付与され、使用される部品は簡素なものであるため製造コストが低いという点でこの特許と異なる。
【００１３】
特許文献４は、端部が放射状の引っ込みを備えた可動部材に結合され、可動部材が鼻緒の端部を包むように出来ているサンダルの鼻緒を示す。鼻緒の端部と可動部材との取り付けの部分は内部と外部に互いに適合する形状を備えている。特許文献４に記述されているサンダルの鼻緒は、鼻緒の端部の形状に支持されているので地面に向かってのみ可動部材の係合を付与し、端部が下に押された場合に偶発的に外れることがある。本発明は、皮の端部が鼻緒に結合した嵌合部材と協力して作用するように形成されており、固定が容易で、履物使用中でも、色々な方向に鼻緒を靴底にしっかり固定できるだけの強度が付与され、使用される部品は簡素なものであるため製造コストが低いという点でこの特許と異なる。
【先行技術文献】
【特許文献】
【００１４】
【特許文献１】ＢＲＭＵ８８００６７８−６号明細書
【特許文献２】ＢＲＰＩ０３０６０５１−９号明細書
【特許文献３】ＢＲＭＵ０９０３６７７−６号明細書
【特許文献４】ＢＲＭＵ９０００６４０−２号明細書
【発明の概要】
【発明が解決しようとする課題】
【００１５】
従って、いくつかのサンダルや類似の履物はすでに靴底に鼻緒その他類似の部品を着け外しができるようになっていることがわかるが、いずれも使用者にとってあまりにも面倒であり、履物の使用に必要な強度を付与せず、及び／又は製造コストが高くなる。
【００１６】
調査した文献から見る限り、本発明の提案を先取りしたり暗示したりするものはなく、本提案には従来の技術に対し新規性と創意がある。
【課題を解決するための手段】
【００１７】
本発明は、新規履物、履物様鼻緒、履物への鼻緒の係合部材、履物及び鼻緒総体、並びに履物製造及び組立方法に関する。
【００１８】
従って、本発明の第１の対象は、少なくとも１本の鼻緒１と、少なくとも１枚の靴底６と、少なくとも１個の係合部材７とからなり、係合部材２は、少なくとも１個の基部５と、少なくとも１個の突起４とからなり、鼻緒取付部１．１の幽閉部７を形成する、履物１０である。
【００１９】
本発明の第２の対象は、少なくとも１本の鼻緒１と、少なくとも１枚の靴底６と、少なくとも１個の係合部材２とからなり、鼻緒１は、係合部材２に協力的に結合し、係合部材２は、少なくとも１個の基部５と、少なくとも１個の突起４とからなり、鼻緒取付部１．１の幽閉部７を形成する、履物１０の鼻緒１である。
【００２０】
本発明の第３の対象は、少なくとも１本の鼻緒１と、少なくとも１枚の靴底６と、少なくとも１個の係合部材２とからなり、係合部材２は、少なくとも１個の基部５と、少なくとも１個の突起４とからなり、鼻緒取付部１．１の幽閉部７を形成する、履物１０の係合部材２である。
【００２１】
本発明の第４の対象は、少なくとも１本の鼻緒１と、少なくとも１枚の靴底６と、少なくとも１個の係合部材２とからなり、係合部材２は、少なくとも１個の基部５と、少なくとも１個の突起４とからなり、鼻緒取付部１．１の幽閉部７を形成する履物１０の、履物と鼻緒との総体である。
【００２２】
突起４は、係合部材２の基部５に固定された第１部４．１と揺動部分４．２とからなるのが好ましい。
【００２３】
鼻緒１は、係合部材２の突起４を収容できる形状を有し、鼻緒取付部１．１が係合部材２の基部５と突起４との間に幽閉され、幽閉部７を形成するのが好ましい。
【００２４】
靴底６は、鼻緒１の取り付け用の複数の収容部８を有するのが好ましい。
【００２５】
履物１０は、草履、サンダルその他類似の履物であるのが好ましい。
【００２６】
本発明の第５の対象は、鼻緒１の取付部３を靴底６の収容部８に配置し、鼻緒１の開口部１．２に突起４を挿入する工程からなる履物の製造及び／又は組立方法である。
【００２７】
これら及びその他の本発明の対象は直ちにこの道に詳しい人たち及びこの分野に関心のある企業の評価を受けるであろう。以下、その再現に必要な詳しさを以て説明する。
【図面の簡単な説明】
【００２８】
【図１】鼻緒１と係合部材２とを示す分解図である。
【図２】基部５と突起部４の第１の部分４．１及び第２の部分４．２とを備える係合部材２を示す詳細図である。
【図３】鼻緒１の取付部１．１を示す詳細図であり、係合部材２の突起４の取り付け用開口部１．２を明示している。
【図４】本発明に基づいて組み立てられた靴底６及び鼻緒１からなる履物１０の好ましい実施例を示す組立図である。
【図５】係合部材２の変更例を示す概略図であり、幽閉部７を明示している。
【図６】係合部材２の変更例を示す概略図であり、幽閉部７を明示している。
【図７】係合部材２の変更例を示す概略図であり、幽閉部７を明示している。
【図８】係合部材２の変更例を示す概略図であり、幽閉部７を明示している。
【図９ａ】係合部材２とその基部５及びその突起部４の第１の部分４．１と第２の部分４．２を示す斜視図である。
【図９ｂ】基部５と突起部４の第１の部分４．１及び第２の部分４．２とを備える係合部材２を示す正面図である。
【図９ｃ】基部５と突起部４の第１の部分４．１及び第２の部分４．２とを備える係合部材２を示す左側面図である。
【図１０ａ】係合部材２の変更例を示す斜視図である。
【図１０ｂ】係合部材２の変更例を示す正面図である。
【図１０ｃ】係合部材２の変更例を示す左側面図である。
【発明を実施するための形態】
【００２９】
ここに紹介する例は本発明の無数の実施方法の例として挙げるものであって、本発明はこれらに制限されるものではない。
【００３０】
本発明は、履物、履物様鼻緒、履物への鼻緒の係合部材、履物及び鼻緒総体、並びに履物製造及び／又は組立方法に関し、履物は、基本的に、鼻緒と靴底との結合からなる。
【００３１】
鼻緒、皮その他類似のものは一般的に二股の形状を呈しており、靴底と共に足を包み込む。鼻緒は普通靴底に永久的に取り付けられ、この二つの部品は一体化されている。
【００３２】
しかし、本発明は、これら２つの部品のいずれかが磨耗又は破断した場合交換できるよう、鼻緒に適合する複数種の靴底を組み合わせたり、あるいは同じ靴底に複数種の鼻緒を組み合わせたりすることができ、履物の寿命を延ばすことができる。もう１つの可能性は、単なる外観に関するもので、着る服に合わせるために靴底及び／又は鼻緒を交換するものである。
【００３３】
本発明は、好ましくは、鼻緒１を靴底６に結合した履物１０に関する。
【００３４】
好ましくは、鼻緒１は、二股に分かれた形状とするが、本発明では、様々な形状の鼻緒や、それぞれ形状の異なる鼻緒1を複数使用し得る。
【００３５】
更に好ましい実施例として１枚のみの靴底６が使用されているが、複数の靴底６を鼻緒で結合し履物１０を形成することもできる。
【００３６】
鼻緒１は、複数の収容部８によって靴底に固定され、鼻緒１の靴底への固定は、少なくとも１個の係合部材２によって行われる。好ましくは、二股に分かれた形状の鼻緒１に対する靴底６は３個の収容部８を有し、それぞれに鼻緒１の取付部１．１の取り付けが可能である。
【００３７】
鼻緒１の取付部１．１は、靴底6の収容部８の内部に配置され、使用者の足に接触する鼻緒1の部分が靴底６の上部に配置され、鼻緒１の取付部１．１が靴底6の株に配置されるようになっている。
【００３８】
係合部材は、好ましい実施形態では、基部５と、ｍ突起４とからなる。しかし、発明の範囲に影響なく係合部材２に１個以上の基部５及び／又は突起４を付与して、異なる形状としてもよい。
【００３９】
突起４は、係合部材２の基部５に固定された第１の部分４．１と、遥動する第二端部４．２とからなり、突起４は、「Ｌ字」、「Ｃ字」、「Ｖ字」状、その他一切の形状であって、基部５に固定された第１の部分４．１と、遥動する第二端部４．２とからなり、鼻緒の取付部１．１の開口部１．２の内部に突起４が取り付けられる形状とすることもできる。
【００４０】
このようにして、基部５及び突起４によって形成される部分は幽閉部７を形成し、そこに鼻緒の取付部１．１が固定され、鼻緒１と係合部材２の結合がなされる。
【００４１】
開口部１．２は、係合部材２の突起４との確実な結合を可能にする形状であればどんな形状でもよく、更に、開口部１．２の横断面は、好ましくは突起４の横断面と実質的に同じとする。
【００４２】
本発明は、更に、鼻緒１の取付部３を靴底6の収容部８に配置し、鼻緒１の開口部１．２に突起４を挿入する工程からなる履物の製造及び／又は組立方法である。
【符号の説明】
【００４３】
１      鼻緒
１．１  鼻緒取付部
１．２  開口部
２      結合部材
４      突起
４．１  第１の部分
４．２  第２の部分（揺動部分）
５      基部
６      靴底
７      幽閉部
８      収容部
１０    履物
【図１】
2014033970.tif 000003
【図２】
2014033970.tif 000004
【図３】
2014033970.tif 000005
【図４】
2014033970.tif 000006
【図５】
2014033970.tif 000007
【図６】
2014033970.tif 000008
【図７】
2014033970.tif 000009
【図８】
2014033970.tif 000010
【図９】
2014033970.tif 000011
【図１０】
2014033970.tif 000012
【外国語明細書】
2014033970000001.pdf